【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
腹足綱及び双殻綱のメンバーを防除するのに有効な少なくとも１以上の物質と不活性材料とを含み、前記物質がプセウドモナス種又はプセウドモナス種に由来する細胞懸濁物に由来する、組成物。
【請求項２】
防除が望ましい場所で１種以上の軟体動物を防除するための方法であって、前記場所に（ａ）エルウィニア属の１種の細胞に由来する細胞懸濁物又は抽出物；（ｂ）前記化合物が、ラクトン、ラクタム、カルバマート、カルボン酸及び／又はアミド化合物である１種以上の化合物或いは前記化合物を含む組成物、但し、前記化合物は、γ−オクタラクトン、γ−ノナラクトン、γ−デカノラクトン、γ−ウンデカラクトン、Ｎ−シクロペンチルシンナムアミド、Ｎ−（ｔｒａｎｓ−シンナモイル）ピロリジン、Ｎ−（ｔｒａｎｓ−シンナモイル）ピペリジン及びＮ−（ｔｒａｎｓ−シンナモイル）ヘキサメチレンイミン、４−ヒドロキシドデカン酸及びドデカン酸ではなく、かつ前記組成物は、プセウドモナス培養物、抽出物又は懸濁物ではない組成物;のいずれか１つを導入することを含む方法。
【請求項３】
前記軟体動物が、前記軟体動物において死を誘導することにより防除される、請求項２に記載の方法。
【請求項４】
前記場所に導入される前記化合物が、ラクトン、ラクタム、カルバマート、カルボン酸及び／又はアミドであり、かつ前記化合物が、
（ａ）第Ｉ族、ここで、第Ｉ族の化合物は以下の化学構造：
【化１】
2012524084.tif 000001
式中
Ｘは炭素であり、Ｙは酸素であり、Ａ及びＭは、炭素、酸素、窒素、硫黄であり、かつｎは１〜２１であり、
（Ｒ）ｚは環上の基Ｒ上の置換基の数の数Ｚを表し、ここで、Ｒ及びＲ上の置換基は、水素、ヒドロキシル基、アルキルヒドロキシル基、アルケニルヒドロキシル基、アルキニルヒドロキシル基、アルキルオキシ基、アルケニルオキシ基、アルキニルオキシ基、シクロアルキル基、シクロアルケニル基、アルキル基、アルケニル基、アルキニル基、ヘテロシクリル基、ヘテロアリール基、芳香族基、アリール基、ＮＨ−置換基、及びＮ，Ｎ−置換基からなる群から選択され、Ｒ鎖の長さは、１〜２５原子であり、かつＺは、０、１、２、３である、を有する
（ｂ）第ＩＩ族、ここで、第ＩＩ族の化合物は以下の化学構造：
【化２】
2012524084.tif 000002
式中、
Ｘは炭素であり、Ｙは酸素であり、Ａ、Ｂ及びＭは、炭素、酸素、窒素及び硫黄であり、
（Ｒ）ｚは、環上の基Ｒ上の置換基の数の数Ｚを表し、Ｒ及びＲ上の置換基は、水素、ヒドロキシル基、アルキルヒドロキシル基、アルケニルヒドロキシル基、アルキニルヒドロキシル基、アルキルオキシ基、アルケニルオキシ基、アルキニルオキシ基、アルキル基、アルケニル基、アルキニル基、ヘテロシクリル基、芳香族基、アリール基、ＮＨ−置換基、及びＮ，Ｎ−置換基からなる群から選択され、Ｒ鎖の長さは、１〜２５原子であり、かつＺは、０、１、２、３である、を有する
（ｃ）第ＩＩＩ族、ここで、第ＩＩＩ族の化合物は以下の化学構造：
【化３】
2012524084.tif 000003
式中、
Ｘは炭素であり、Ｙは酸素であり、Ｚは、水素、ヒドロキシル基、アルケニルヒドロキシル基、アルキニルヒドロキシル基、アルキル基、アルケニル基、アルキニル基、ヘテロシクリル基、芳香族基、アリール基、ＮＨ−置換基、又はＮ，Ｎ−置換基であり、
Ｒは、長さ１〜５０原子のアルケニルヒドロキシル基、アルキニルヒドロキシル基、アルキル基、アルケニル基、アルキニル基、ヘテロシクリル基、芳香族基、アリール基、ＮＨ−置換基、又はＮ，Ｎ−置換基である、を有する
からなる群から選択される化合物族のメンバーである、請求項２に記載の方法。
【請求項５】
前記化合物が、以下の構造：
【化４】
2012524084.tif 000004
式中、
Ｒ１は、アルキル基、アルケニル基、アルキニル基、ヘテロシクリル基、芳香族基、アリール基、ＮＨ−置換基、又はＮ，Ｎ−置換基であり、ここで、Ｒ１鎖の長さは、４〜２０原子であり、
Ｒ２及びＲ３は、アルキル、アルケニル、アルキニル、シクロアルキル、シクロアルケニル、芳香族、アリールアルキル、ヘテロシクリル若しくはヘテロアリールであるか、或いはＲ２＋Ｒ３＋ＮはＮ含有複素環部分であることができ、
Ｒ２＋Ｒ３＋ＮがＮ含有複素環部分であるとき、Ｒ１は、アルキル基、アルケニル基、アルキニル基、ヘテロシクリル基、ＮＨ−置換基、又はＮ，Ｎ−置換基である
を有するサルメンチン類似体である、請求項４に記載の方法。
【請求項６】
前記化合物がラクトンであり、かつ５員γ−ラクトンである少なくとも１つのラクトン部分と少なくとも１つの不飽和部分と少なくとも１つアルコール基とを含む水酸化不飽和脂肪酸ラクトン構造と、コア構造中の２８５〜約３１０の分子量と、少なくとも１５個の炭素と少なくとも３個の酸素とを有し、かつ前記化合物が、構造
【化５】
2012524084.tif 000005
式中、Ｘは、各々独立に、−−Ｏ、−−ＮＲ１、又はＳであり、ここで、Ｒ１は、−−Ｈ又はＣ１−Ｃ６アルキルであり、ｎ＝０〜１５であり、Ｒ２〜Ｒ４は、各々独立に、−−Ｈ、アルキル、置換アルキル、アルケニル、置換アルケニル、アルキニル、置換アルキニル、アリール、置換アリール、ヘテロアリール、置換ヘテロアリール、複素環、置換複素環、シクロアルキル、置換シクロアルキル、アルコキシ、置換アルコキシ、チオアルキル、置換チオアルキル、ヒドロキシ、ハロゲン、アミノ、アミド、カルボキシル、−−Ｃ（Ｏ）Ｈ、アシル、オキシアシル、カルバマート、スルホニル、スルホンアミド、又はスルフリルであり、ｍ＝二重結合又は三重結合である
を任意に有する、請求項２に記載の方法。
【請求項７】
前記化合物が、少なくとも１つのカルボン酸部分と少なくとも１つの不飽和部分と少なくとも１つアルコール基とを含む水酸化不飽和脂肪酸構造と、コア構造中の２８５〜約３１０の分子量と、少なくとも１５個の炭素と少なくとも３個の酸素とを有し、前記化合物が、構造
【化６】
2012524084.tif 000006
式中、Ｘは、各々独立に、−−ＯＨ、−−ＮＲ１、又はＳであり、ここで、Ｒ１は、−−Ｈ又はＣ１−Ｃ６アルキルであり、ｎ＝０〜１５であり、Ｒ２〜Ｒ４は、各々独立に、−−Ｈ、アルキル、置換アルキル、アルケニル、置換アルケニル、アルキニル、置換アルキニル、アリール、置換アリール、ヘテロアリール、置換ヘテロアリール、複素環、置換複素環、シクロアルキル，置換シクロアルキル、アルコキシ、置換アルコキシ、チオアルキル、置換チオアルキル、ヒドロキシ、ハロゲン、アミノ、アミド、カルボキシル、−−Ｃ（Ｏ）Ｈ、アシル、オキシアシル、カルバマート、スルホニル、スルホンアミド、又はスルフリルであり、ｍ＝二重結合、三重結合である
を任意に有する、請求項２に記載の方法。
【請求項８】
前記化合物が、
（ａ）図１に示す化合物と
（ｂ）γ−ドデカラクトン、δ−トリデカラクトン、ピリフェロリドＡ及びα−ヘプチル−γ−ブチロラクトンからなる群から選択されるラクトンと
（ｃ）Ｎ−シクロペンチルデカンアミド、Ｎ−（デカノイル）ピロリジン、Ｎ−（デカノイル）ピペリジン、Ｎ−（デカノイル）ヘキサメチレンイミン、Ｎ−シクロペンチルデセンアミド、Ｎ−（デセノイル）ピロリジン、Ｎ−（デセノイル）ピペリジン、Ｎ−（デセノイル）ヘキサメチレンイミン及びＮ−（デセノイル）ピペリジンからなる群から選択されるサルメンチン類似体と
（ｄ）１１−ヒドロキシ−１２−エン−オクタデカン酸と
からなる群から選択される、請求項２に記載の方法。
【請求項９】
１種以上の軟体動物を防除するための方法であって、防除が望ましい場所に前記軟体動物を防除するのに有効な量で物質及び１以上の不活性材料を導入することを含み、ここで、軟体動物を防除するための前記物質は任意に、未処理の対照と比べて前記軟体動物を少なくとも約２０％死亡させる量で存在し、かつ前記不活性材料は、軟体動物を防除するための前記物質の死亡率を少なくとも約２０％増加させるのに十分な量で存在し、ここで、前記場所は液体であり、ここで、前記液体は水塊又は塗料であるか、或いは前記場所は、プラスチック、コンクリート、木材、ガラス繊維、鉄やポリ塩化ビニルでできたパイプ、コーティング材及び／又は塗料で覆われた表面からなる群から選択される固体表面である、方法。
【請求項１０】
軟体動物を防除するための１以上の物質の効力を増大させるための方法であって、防除が望ましい場所に、前記場所に導入されたときに前記物質の効力を増大させるのに有効な量で１以上の不活性材料を導入することを含み、ここで、前記不活性材料は任意に、前記物質の効力を少なくとも約２０％増大させ、かつ前記不活性材料は任意に、粘土鉱物に由来する、方法。
【請求項１１】
前記不活性材料が、カオリナイト、スメクタイト、アタパルジャイト又は前述のものの組合せである、請求項１０に記載の方法。
【請求項１２】
防除が望ましい場所で１種以上の軟体動物を防除する及び／又は１種以上の軟体動物において死を誘導するための組成物であって、１以上のラクトン、ラクタム、カルバマート、カルボン酸及び／又はアミドを含み、この場合も但し、前記化合物は、γ−オクタラクトン、γ−ノナラクトン、γ−デカノラクトン、γ−ウンデカラクトン、Ｎ−シクロペンチルシンナムアミド、Ｎ−（ｔｒａｎｓ−シンナモイル）ピロリジン、Ｎ−（ｔｒａｎｓ−シンナモイル）ピペリジン及びＮ−（ｔｒａｎｓ−シンナモイル）ヘキサメチレンイミン、４−ヒドロキシデカン酸及びデカン酸ではなく、かつ前記組成物は、プセウドモナス培養物、抽出物又は懸濁物ではない、組成物。
【請求項１３】
１種以上の軟体動物を防除するための方法であって、（ａ）エルウィニア属の１種の細胞由来の細胞懸濁物又は抽出物を調製する工程と、（ｂ）前記懸濁物又は抽出物を防除が望ましい場所に前記軟体動物を防除するのに有効な量で導入する工程とを含む方法。
【請求項１４】
塗料担体中に抗増殖性の（ａｎｔｉｖｅｇｅｔａｔｉｖｅ）、殺生物有効量の請求項１２に記載の組成物を含む防汚塗料。
【請求項１５】
軟体動物を防除するための組成物及び／又は防汚塗料の処方における請求項１２に記載の組成物の使用をした製造方法。